(57)【要約】【課題】排出口、排出バイプ付きの箱型袋状の本体のごとき、特別の道具、器具等を準備することの必要を無くして、一体型エアコンの洗浄を可能とすること。【解決手段】下部にコンプレッサー２および制御装置を装備し、コンプレッサー２の上方に隔離板８を介してエバボレータ４および排気ファン１２を装備し、背面側にコンデンサ３を装備した一体型エヤコンにおいて、隔離板８に、常時は吐出パイプを前面ケース板の内方に位置させてドレン水を下方へ流し、清掃時は吐出パイプを前面ケース板の外方に位置させエバボレータ４および排気ファン１２の洗浄水を機外へ排出するための、吐出パイプを有する排出切替弁体を移動自在に設ける。【選択図】図１
2004156821.tif 000002
【特許請求の範囲】
【請求項１】
下部にコンプレッサー２および制御装置を装備し、コンプレッサー２の上方に隔離板８を介してエバボレータ４および排気ファン１２を装備し、背面側にコンデンサ３を装備した一体型エヤコンにおいて、
隔離板８の貫通ドレン孔と連通し、吐出パイプを有する排出切替弁体を設け、常時は吐出パイプを前面ケース板の内方に位置させてドレン水を下方へ流し、清掃時は吐出パイプを前面ケース板の外方に位置させ、
エバボレータ４および排気ファン１２の洗浄水を機外へ排出することを特徴とする一体型エアコンの洗浄装置。
【発明の詳細な説明】
【０００１】
【発明の属する技術分野】
本願発明は、一体型エアコン（ウインドウ（窓型）エアコンの洗浄装置に関するものである。
【０００２】
【従来の技術】
この種の一体型エアコンの洗浄装置に関して、図８および図９に示す、実開平６−１８８１８号「壁掛けエアコンの清掃装置」（特許文献１）が公知である。
該公知技術は、箱型袋状の本体Ａ  をエアコンＢに被せ、排出口、排出バイプを介して、洗浄水を排出している。即ち、排出口、排出バイプ付きの箱型袋状の本体Ａを準備する必要がある。
【０００３】
【特許文献１】
実開平６−１８８１８号公開実用新案公報
【０００４】
【発明が解決しょうとする課題】
本発明は、排出口、排出バイプ付きの箱型袋状の本体のごとき、特別の道具、器具等を準備することを必要とすることなく、一体型エアコンの洗浄を可能とすることを課題とする。
【０００５】
【課題を解決するための手段】
下部にコンプレッサー２および制御装置を装備し、コンプレッサー２の上方に隔離板８を介してエバボレータ４および排気ファン１２を装備し、背面側にコンデンサ３を装備した一体型エヤコンにおいて、隔離板８に、常時は吐出パイプを前面ケース板の内方に位置させてドレン水を下方へ流し、清掃時は吐出パイプを前面ケース板の外方に位置させエバボレータ４および排気ファン１２の洗浄水を機外へ排出するための、吐出パイプを有する排出切替弁体を移動自在に設ける。
【０００６】
【発明の実施の形態】
一体型エヤコンにおける隔離板８に、ドレン水受け面９に貫通ドレン孔１１を設け、隔離板８の下方に位置して、貫通ドレン孔１１と連通する排出切替弁体１０を前後動移動自在に設ける。排出切替弁体１０は、常時は吐出パイプを前面ケース板の内方に位置させてドレン水を下方へ流し、清掃時は吐出パイプを前面ケース板の外方に位置させる。
【０００７】
【実施例】
図６および図７を参照して、本願発明の説明に先立って、一体型エアコン（窓用エアコン）を説明する。
【０００８】
枠体１内の下部にコンプレッサー２および制御装置を装備し、枠体１内の上部に、前面側に位置してエバボレータ４および排気ファン５を装備し、背面側にコンデンサ３を装備している。枠体１内の上部の前面側と後面側とは仕切り板６で隔離されている。
【０００９】
枠体１内の前面側、エバボレータ４とコンプレッサー２との間は、隔離板７で仕切られている。
【００１０】
エバポレータ４により発生した露滴（ドレン水）はコンデンサ３の下方まで案内して溜め、ドレン水をホースで室外へ直接放出する場合もあるが、一般的には、コンデンサ３に向けてドラン水をかき上げて、コンデンサ３の熱で蒸発させる手段が取られている。
【００１１】
以下、図３、図４を参照して、本願発明の実施例を説明する。
一体型エヤコンにおける隔離板８に、ドレン水受け面９の中央部に位置して、貫通ドレン孔１１を設ける。
隔離板８の下方に位置して、貫通ドレン孔１１と連通する排出切替弁体１０を前後動移動自在に設ける。
【００１２】
次に、図５および図６を参照して、排出切替弁体１０を説明する。
排出切替弁体１０は、第１弁通路１３と第２弁通路１４とが平行して形成され、第１弁通路１３のドレン水受け部１３Ａと第２弁通路１４のドレン水受け部１４Ａが対向方向に突出し、ドレン水受け部１３Ａが前方に、ドレン水受け部１４Ａが後方に位置して貫通ドレン孔１１と機体前後方向に一致している。第２弁通路１４の先端部には下向きにと吐出パイプ１５が装備され、該吐出パイプはドレン水受け部１４Ａに第２弁通路１４を介して連通している。
【００１３】
図５は、通常時（吐出パイプ１５の格納位置とする）を示し、吐出パイプ１５は前面ケース１ａの内方に位置させて，第１弁通路１３のドレン水受け部１３Ａがドレン水受け面９の貫通ドレン孔１１と対向している。
貫通ドレン孔１１より落下したドレン水を、第１弁通路１３を通過して、第１弁通路１３の先端より、後面ケース１ｂの内方に位置して、枠体１の下方へ落下させる。
【００１４】
図６は、エアコンクリーニング作業時（吐出パイプ１５を前面ケースより前方へ突出位置とする）を示し、吐出パイプ１５は前面ケース１ａの前方へ突出させるとともに、第２弁通路１４のドレン水受け部１４Ａがドレン水受け面９の貫通ドレン孔１１と対向している。
貫通ドレン孔１１より落下したドレン水を、第２弁通路１４を通過して、第２弁通路１４の先端より、吐出パイプ１５に導き、吐出パイプ１５より落下する。
【００１５】
エアコンクリーニング作業に際しては、排出切替弁体１０を引出して、図６の作業状態として、吐出パイプ１５を前面ケースより前方へ突出させる。
【００１６】
図１は、本発明によるエアコンクリーニング作業を示し、扉１６を開き、フィルターを除去して、エバボレータ４を露出させる。
エバボレータ４に、洗浄剤１７を吹き付ける。エバボレータ４に洗浄剤を付着させる。必要に応じて、水道水をエバボレータ４に吹き付ける。
【００１７】
エバボレータ４を洗浄剤した汚水は、排出切替弁体１０および吐出パイプ（汚水排出口）を経て、バケツ１８に回収される。
【００１８】
エバポレータ４により発生した露滴（ドレン水）は、一般的には、コンデンサ３に向けてドラン水をかき上げて、コンデンサ３の熱で蒸発させる手段が取られているが、本発明においては、エバボレータ４の洗浄に際しては、貫通ドレン孔を吐出パイプ１５に連通しているので、エバボレータ４の洗浄水がコンデンサ３に向け吹きつけられることは阻止される。
【００１９】
【発明の効果】
本発明は、エアコンクリーニング作業に際し、排出切替弁体の移動操作で、簡単に吐出パイプ（汚水排出口）を露出させるとともに、エバボレータの下方に位置する貫通ドレン孔１１と吐出パイプ（汚水排出口）とを連通させるものであるから、箱型袋状の本体のごとき、特別の道具、器具等を準備することなく、一体型エアコンの洗浄を可能とする効果を有する。
また、エアコンクリーニング作業によるエバボレータ４の洗浄水が、コンデンサ３に向け吹きつけられてコンデンサ３が汚染されることを阻止できる効果を有する。
【図面の簡単な説明】
【図１】本願発明の実施例を示す、の洗浄装置の斜視図。
【図２】隔離板の平面図で、排出切替弁体を仮想線で示す。
【図３】隔離板の底面図で、排出切替弁体を実線で示す。
【図４】非清掃時の排出切替弁体を示し、ａ図は平面図、ｂ図は縦断面図。
【図５】清掃時の排出切替弁体を示し、ａ図は平面図、ｂ図は縦断面図。
【図６】一体型エアコンの縦断面。
【図７】図６のＡ―Ａ切断線による断面図。
【図８】公知の壁掛けエアコンの清掃装置の斜視図。
【図９】同じく清掃作業時を示す縦断面図。
１    枠体
２    コンプレッサー
３    コンデンサ
４    エバボレータ
５    排気ファン
６    仕切り板
７    隔離板
９    ドレン水受け面
１０    排出切替弁体
１１    貫通ドレン孔
１３    第１弁通路
１３Ａ  ドレン水受け部
１４    第２弁通路
１４Ａ  ドレン水受け部
１５    吐出パイプ
【図１】
2004156821.tif 000003
【図２】
2004156821.tif 000004
【図３】
2004156821.tif 000005
【図４】
2004156821.tif 000006
【図５】
2004156821.tif 000007
【図６】
2004156821.tif 000008
【図７】
2004156821.tif 000009
【図８】
2004156821.tif 000010
【図９】
2004156821.tif 000011